(57)【要約】【課題】  地盤アンカー工の自由長の削孔内にはこれまでアンカーを挿入後にセメント質のグラウト材を充填していることから、硬化すると削孔内のコンクリート柱状に形成されたセメントモルタル表面と土砂が付着したことによる摩擦力が発生して、アンカーの引張力による反力で受圧板によりスベリ層の締付けをはかるが、締付け効果を阻害し抵抗することからアンカーの引張力による締付け効果が十分でない状態となっていた。【課題手段】  これまでのセメント質のグラウト材の代替として周辺摩擦抵抗の少ない材質（砂質土や粘土質、または圧縮力の小さい発泡材等の弾性体）を充填しアンカー工法の締付け効果の改善を図る。【選択図】図１
2016148231.tif 000002
【特許請求の範囲】
【請求項１】
法枠や法止め部材をスベリ層の斜面に地盤アンカーで定着する法枠定着工法の削孔内にアンカーを挿入しセメントグラウト材を充填するアンカー工法において、アンカー体長を除いた自由長区間の削孔内に周辺摩擦抵抗力の少ない材質を充填し、地盤アンカー自由長区間の周辺摩擦抵抗力の軽減をはかる工法。
【請求項２】
削孔内の自由長区間に二重防食以上のサビ防止を施したアンカー材を使用し、アンカーのサビ対策を考慮した事を特長とする請求項１記載の地盤アンカー自由長区間の周辺摩擦抵抗力の軽減をはかる工法。
【請求項３】
地盤アンカーの削孔内のアンカー体長区間にスベリ面の摩擦抵抗用の余長と削孔作業時に発生するズリを溜める余長を設け、アンカー体長の機能を拡大した地盤アンカー自由長区間の周辺摩擦抵抗力の軽減をはかる工法。
【発明の詳細な説明】
【技術分野】
【０００１】  本発明は斜面崩壊予防をはかる目的で、斜面に設置するアンカー工法の効果を高めるため削孔内の摩擦抵抗力の軽減をはかる工法に関するものである。
【背景技術】
【０００２】  従来の斜面崩壊を予防するため斜面に設置するアンカー工法は図３（１）や引用文献の図５（１）や特許文献の図５（２）・（３）資料の様にアンカー挿入用の削孔長Ｌ区間全体に硬化すると固まるセメントグラウト材７を充填していたことから電柱の様な断面構造となり、アンカー１の引張力Ｔの反力によるＴ１により台座（受圧板）等を通して地盤面Ｇに圧着しスベリ層Ａを締付けることが困難となり、アンカー理論では対応できない断面構造となっていた。【０００３】  このようなことから特許文献１・図５（２）の様に削孔８内のアンカー自由長Ｌ２区間のまだ固まらないセメントグラウト材７をラッパ菅を挿入して抜取り空洞化し、アンカー１（テンドン）と一体化することを避けて、アンカー体周辺と地盤内の土砂と分離し摩擦抵抗力の軽減をはかる工法が発明されている。しかし削孔内の直径よりアンカーの太さが小さい事から削孔内の自由長区間に隙間が発生し、削孔内に水溜りや土砂の崩壊が発生することが課題となっている。【０００４】  このような中で上記の特許文献１・図５（２）の改善を図るために、特許文献２・図５（３）の様に削孔内のアンカー自由長区間上部（文献図面ではＨ４区間）に弾性体（文献図面では６）を充填して、アンカー引張力Ｔの反力により台座（受圧板）等を通して地盤面に圧着しスベリ層を締付け可能な断面構造が発明された。しかしスベリ層の土質が粘土層の様な比較的軟らかい土質であればスベリ層区間の削孔内のセメントグラウト材の表面と付着しても摩擦抵抗力が小さく影響は少ないが、スベリ層の土質が硬い岩盤等では付着力が増大し摩擦抵抗力の反力が大きく、アンカーの引張力Ｔによるスベリ層の締付け効果の減少が確認された。
【先行技術文献】
【特許文献】
【０００５】
【特許文献１】特許第３７６０３３５号
【特許文献２】特許第４８０４５６１号
【引用文献１】
グランドアンカー設計・施工基準、同解説（ＪＧＳ４１０１−２０１２）Ｐ２５・解説図‐２．２
【発明の概要】
【発明が解決しようとする課題】
【０００６】  本発明は上記した従来の工法の問題を解決するために、さらなるアンカー工法の効果や安全性の向上を目的に自由長部Ｌ２区間における削孔内の土砂とアンカー（テンドン）表面との摩擦抵抗力の軽減工法について改善をはかった。
【課題を解決するための手段】
【０００７】  請求項１記載について図１により課題を解決するための手段を説明する。はじめに図２（１）のように地盤内に必要なアンカー長Ｌを削孔してアンカー１を挿入する。次にアンカー体Ｌ１区間にセメントグラウトを充填する。充填方法としてはパッカー工法等（管内止水等に使用している断面構造等）を利用しアンカー体区間のみにセメントグラウトを充填する方法等により対応する。なお他にも対応策があるが方法は問わない。その後に自由長部の削孔内の空洞になっている隙間に摩擦抵抗の少ない材質６（砂質土や粘土質、または圧縮力の小さい発泡材等の弾性体）を充填する。【０００８】  次に請求項２記載について説明する。従来はアンカーのサビ対策をはかるために地盤アンカーの自由張部Ｌ２区間はセメントグラウト材で被覆しアンカーのサビ対策としていた。しかし今回の発明は図１においてアンカー体と削孔内の土砂との付着力を軽減する目的から、硬化すると固まりアンカーのサビ対策の１方法として使用されてきたセメントグラウト材の代替として、アンカーのサビ対策に弱いが周辺摩擦抵抗の少ない材質６（砂質土や粘土質）等を使用した場合には透水性が良い事からサビ対策にはならないことから、アンカー本体の鋼材を亜鉛メッキ施し更にシースにより被覆するなどして補強した二重防食以上のアンカーを使用する。なお圧縮力の小さい発泡材等の弾性体を充填する場合、または、サビや腐食に強い連続繊維補強材使用する場合には二重防食以上と成る事から現在におけるサビ対策として問題は生じることはない。以上の様なアンカーのサビ対策をはかったことを特長とした地盤アンカー自由長部区間の削孔内の周辺摩擦抵抗力の軽減工法の断面構造とする。【０００９】  次に請求項３記載について説明する。図１においてスベリ面Ｓの上部に高さｈ１≒５０ｃｍ程がアンカー体長の一部とし突出するような断面構造として、スベリ面Ｓの滑らかな面に凸型を形成してスベリ面の摩擦係数の増大を図り、また下部には従来の削孔余長ｈ２≒７０ｃｍ程度を加算し削孔余長Ｈ４≒１００ｃｍ程に拡大してアンカー体長の安全性を高める断面構造とする。なおｈ１やｈ２の値は土質状況により調整するものとする。
【発明の効果】
【００１０】本発明は上記のように自由長Ｌ２区間のアンカー体と土砂との付着力の軽減をはかることから周辺摩擦抵抗力による抵抗反力Ｔ３が減少し、アンカーの引張力Ｔによる反力Ｔ２はスベリ層の硬い土質でも締付け効果が向上する断面構造と成る。なおこの効果の程を確認してみると下記になる。【００１１】  図３（１）の側断面図、及び図３（３）の様に、これまで削孔内のセメントグラウト７の表面と土砂が付着している周面摩擦影響範囲の円周長ｄ１は（ｄ１＝π×φ１）であったが、削孔内に周辺摩擦抵抗の少ない砂等の材質６を充填したことにより周面摩擦影響範囲の円周長ｄ２は（ｄ２＝π×φ３）となり極端に減少する。
例えば円周長さのみで現場の削孔内の標準的な直径φ１≒１００ｍｍ、アンカーの直径φ３≒３０ｍｍをした場合で算出すると下記内容となる。
従来の周面摩擦影響範囲の円周長  ｄ１≒π×φ１＝３．１４×１００＝３１４ｍｍ
本発明の周面摩擦影響範囲の円周長ｄ２≒π×φ３＝３．１４×３  ＝９．４４ｍｍ
従来方法と本発明を比較すると約３３倍の周辺摩擦抵抗力Ｔ３を削減することに繋がる。【００１２】  また土質によりアンカー体との付着力が変わることから、これまでの様に削孔内の直径φ１≒１００ｍｍにセメントグラウトを充填した場合と、削孔内の直径φ１≒１００ｍｍに砂等の材質６を充填した場合、軟岩と砂を比較してみた。
セメントグラウトを充填した場合の周辺摩擦抵抗力
τ１＝ｄ１×Ｃ１≒３１４ｍｍ×１．２５Ｎ／ｍｍ２≒３９２．５Ｎ／ｍｍ（アンカー体長Ｌ＝１ｍｍを仮定）
砂等の材質６を充填した場合の摩擦抵抗力
τ２＝ｄ２×Ｃ２＝９．４４ｍｍ×０．２０ＭＮ／ｍ２＝１．８８Ｎ／ｍｍ（アンカー体長Ｌ＝１ｍｍを仮定）
軟岩の場合の極限周面摩擦抵抗値            平均Ｃ１＝１．２５（ＭＮ／ｍ２）
砂（Ｎ値２０）の場合の極限周面摩擦抵抗値  平均Ｃ２＝０．２０（ＭＮ／ｍ２）
（グランドアンカー設計・施工基準、同解説（ＪＧＳ４１０１−２０１２）Ｐ７８・解説表‐６．６）
以上のように自由長区間の削孔内にセメントグラウト７を充填した場合と、砂等の材質６を充填した場合にはアンカー体に作用する抵抗力Ｔ３に大きな差が生じアンカー工法の効果や安全率の向上につながる。【００１３】  請求項３記載図１（１）の削孔内のアンカー体長Ｌ１区間においてスベリ面よりｈ１を５０ｃｍ程高くしたことについては、スベリ面の摩擦抵抗の増大を期待している。これまでは自由長部Ｌ２削孔のセメントグラウト７により構成された長いコンクリート柱が根本（スベリ面Ｓ）位置で折れ曲がっている事例が確認されている。主な理由としては長い片持梁のポストテンション工法の様な杭工の断面構造にスベリ層の土圧が作用し曲げモーメントが作用し根本付近で破断したものと推測される。このような状況から見てこれまでのコンクリート柱が形成されたことはアンカー工法としての断面構造としてはマイナスであったが、スベリ層を抑止する効果も確認される。このようなことからスベリ面よりｈ１を５０ｃｍ程高くすることにより、多数のアンカー本数によりスベリ面の摩擦抵抗の増大に繋がりアンカー工法の効果や安全性の向上にも繋がる断面構造と成る。【００１４】  またアンカー体長の底部のｈ２を１００ｃｍ程長くしたことについては、これまでは削孔長Ｌ区間の全区間にセメントグラウトを充填していたことから、グラウト用専のポンプによる注入用ホースを削孔内の底面位置に設定し、底面に残留している堆積している一部の土砂を噴き上げる形で、外部に排出していたが、パッカー工法等により削孔内のアンカー体長区間のみにセメントグラウトを充填する場合には    底面に残留している一部の土砂を取り除く事は経済的に負担が大きい事から、アンカー体長の底部に通常以上の余長に成るようにｈ２を設定し安全性を確保した。なお土質に応じては省略可能な場合もある。【００１５】  これらの図４のような実施例はアンカー工法によるスベリ層による土圧の軽減にもつながることから、アンカー工法の経済性や効果、さらに安全性の向上に役立つ画期的な断面構造となった。
【図面の簡単な説明】
【００１２】
【図１】本実施例のアンカー周辺摩擦抵抗力の軽減工法を示し、図１（１）は全体の側断面図、及び図１（２）は図１（１）のａ‐ａ位置の断面図、図１（３）は図１（１）のｂ‐ｂ位置の断面図を現している。
【図２】アンカー工事を始める前の削孔状況を示し、図２（１）は全体の側断面図、及び図２（２）は図２（１）のａ‐ａ位置の断面図、図２（３）は図２（１）のｂ‐ｂ位置の断面図を現している。
【図３】従来のアンカー工法の断面構造図を示し、図３（１）は全体の側断面図、及び図３（２）は図３（１）のａ‐ａ位置の断面図、図３（３）は図３（１）のｂ‐ｂ位置の断面図を現している。
【図４】本発明のアンカー工法を斜面に実施した場合の全体の断面図である。
【図５】これまでのアンカー断面構造図を示し、図４（１）は参考文献１、図４（２）は特許文献１、及び図４（３）は特許文献２の資料の断面構造図を現している。１・・・二重防食以上のアンカー（亜鉛メッキの鋼線をシースで被覆、またはサビや腐食に強い連続繊維補強材）  ２・・・締付け装置  ３・・・台座や座金等  ４・・・受圧板や法枠工  ５・・・アンカーのサビ対策図るためのアンカーを被覆するシース等  ６・・・砂質土や粘土質（ベントナイト等）、または圧縮力の小さい発泡材等の弾性体からなる充填材  ７・・・セメントグラウト材で硬化すると固まる材質  ８・・・削孔  Ａ・・・安定した基盤  Ｂ・・・斜面の不安定なスベリ層  Ｇ・・・スベリ層の地盤面  Ｈ１・・受圧板や法枠工底面下の削孔内のアンカー自由長部で充填材６を充填する区間  Ｈ２・・・スベリ面の摩擦抵抗に配慮した区間でセメントグラウト７を充填  Ｈ３・・・テンドン拘束長（土質の摩擦抵抗力で長さを算出）  Ｈ４・・・テンドン余長  （残留物の溜り場）  ｈ１・・・スベリ面より突出するスベリ摩擦抵抗用の高さ  ｈ２・・・削孔作業時のズリ溜め用ポケットの割増深さ  Ｌ・・・アンカー挿入用の削孔長  Ｌ１・・・削孔内のアンカー体長  Ｌ２・・・削孔内のアンカー自由長  Ｓ・・・スベリ面  Ｔ・・・アンカーの引張力  Ｔ１・・アンカーの引張力Ｔによりセメントグラウト柱状に載せた台座や受圧板を締付けている反力  Ｔ２・・受圧板底面で地盤面を締付けている反力  Ｔ３・・アンカー周辺の摩擦力により抵抗する反力  φ１・・・削孔の径  φ２・・・アンカーの直径  φ３・・・アンカーをシースで被覆した直径
【図１】
2016148231.tif 000003
【図２】
2016148231.tif 000004
【図３】
2016148231.tif 000005
【図４】
2016148231.tif 000006
【図５】
2016148231.tif 000007